(57)【特許請求の範囲】
【請求項１】
移動局装置宛のデータの有無を示す情報を含む制御チャネルを送信する制御チャネル送信手段と、
パケットスケジューリングにおける移動局装置の優先度を計算する優先度計算手段と、
前記優先度計算手段において計算された優先度を、前記制御チャネルを間欠受信する移動局装置の間欠受信状態に応じて補正する優先度補正手段と、
前記優先度補正手段において補正された優先度に基づいて、データを送信すべき移動局装置を決定するスケジューラと
を備え、
前記制御チャネル送信手段が、前記スケジューラによりデータ送信を割り当てられた移動局装置に対して、データ有りを示す情報を含む制御チャネルを送信することにより、該移動局装置を制御チャネルの常時受信状態に復帰させ、
前記優先度補正手段は、異周波や異システムを測定するために間欠受信を行っている移動局装置の優先度を、他の移動局装置の優先度より高くする補正を行うことを特徴とする基地局装置。
【請求項２】
請求項１に記載の基地局装置において、
前記優先度計算手段は、各移動局装置の無線状態を示すＣＱＩ情報、ＱｏＳ情報、バッファ滞留量およびバッファ滞留時間を示す情報のうち少なくとも１つに基づいて、パケットスケジューリングにおける移動局装置の優先度を計算することを特徴とする基地局装置。
【請求項３】
請求項１または２に記載の基地局装置において、
前記優先度補正手段は、間欠受信を行う移動局装置の優先度を高くするように補正することを特徴とする基地局装置。
【請求項４】
請求項１ないし３のいずれか１項に記載の基地局装置において、
前記優先度補正手段は、間欠受信周期に基づいて、間欠受信周期の長い移動局装置ほど優先度を高めるように、該優先度の補正を行うことを特徴とする基地局装置。
【請求項５】
請求項４に記載の基地局装置において、
前記優先度補正手段は、予め決定された間欠受信周期に応じた優先度の補正量に基づいて、優先度を補正することを特徴とする基地局装置。
【請求項６】
移動局装置からの送信信号に基づいて、該移動局装置の無線状態を示すＣＱＩ情報を取得するＣＱＩ情報取得ステップと、
移動局装置宛のデータの有無を示す情報を含む制御チャネルを送信する制御チャネル送信ステップと、
前記ＣＱＩ情報に基づいて、パケットスケジューリングにおける移動局装置の優先度を計算する優先度計算ステップと、
前記優先度計算ステップにおいて計算された優先度を、前記制御チャネルを間欠受信する移動局装置の間欠受信状態に応じて補正する優先度補正ステップと、
前記優先度補正ステップにおいて補正された優先度に基づいて、データを送信すべき移動局装置を決定するスケジューリングステップと
を有し、
前記スケジューリングステップによりデータ送信を割り当てられた移動局装置に対して、前記制御チャネル送信ステップによりデータ有りを示す情報を含む制御チャネルが送信されることにより、該移動局装置を制御チャネルの常時受信状態に復帰させ、
前記優先度補正ステップは、異周波や異システムを測定するために間欠受信を行っている移動局装置の優先度を高める補正を行うことを特徴とするパケットスケジューリング方法。
【請求項７】
請求項６に記載のパケットスケジューリング方法において、
前記優先度計算ステップは、ＱｏＳ情報、バッファ滞留量およびバッファ滞留時間を示す情報のうち少なくとも１つに基づいて、パケットスケジューリングにおける移動局装置の優先度を計算することを特徴とするパケットスケジューリング方法。
【請求項８】
請求項６または７に記載のパケットスケジューリング方法において、
前記優先度補正ステップは、間欠受信を行う移動局装置の優先度を高くするように補正することを特徴とするパケットスケジューリング方法。
【請求項９】
請求項６ないし８のいずれか１項に記載のパケットスケジューリング方法において、
前記優先度補正ステップは、間欠受信周期に基づいて、間欠受信周期の長い移動局装置ほど優先度を高めるように、該優先度の補正を行うことを特徴とするパケットスケジューリング方法。
【請求項１０】
請求項９に記載のパケットスケジューリング方法において、
前記優先度補正ステップは、予め決定された間欠受信周期に応じた優先度の補正量に基づいて、優先度を補正することを特徴とするパケットスケジューリング方法。
【発明の詳細な説明】
【技術分野】
【０００１】
本発明は、間欠受信を行う移動局装置を備える無線通信システムにおける基地局装置およびパケットスケジューリング方法に関する。
【背景技術】
【０００２】
最近の無線通信システムでは、多様化するサービスに柔軟に対応し、インターネットとの親和性を高め、更に周波数利用効率を高めるために、Ｃｏｄｅ  Ｄｉｖｉｓｉｏｎ  Ｍｕｌｔｉｐｌｅ  Ａｃｃｅｓｓ（ＣＤＭＡ）やＯｒｔｈｏｇｏｎａｌ  Ｆｒｅｑｕｅｎｃｙ  Ｄｉｖｉｓｉｏｎ  Ｍｕｌｔｉｐｌｅｘｉｎｇ （ＯＦＤＭ）などの無線アクセスインタフェース上でパケット交換を行う方式が採用されている。３ＧＰＰで標準化されたＨｉｇｈ−ｓｐｅｅｄ  Ｄｏｗｎｌｉｎｋ  Ｐａｃｋｅｔ  Ａｃｃｅｓｓ（ＨＳＤＰＡ）やＩＥＥＥで標準化された８０２．１６（ＷｉＭａｘ）はその代表例である。
【０００３】
これらのシステムでは、基地局装置において各ユーザ（移動局装置）の無線状態（以下、Ｃｈａｎｎｅｌ  Ｑｕａｌｉｔｙ  Ｉｎｄｉｃａｔｏｒ（ＣＱＩ）と呼ぶ）や、Ｑｕａｌｉｔｙ  ｏｆ  Ｓｅｒｖｉｃｅ（ＱｏＳ）、バッファ滞留量などを考慮して、共通の無線チャネルで、次に、すなわち次のフレームでパケットを送信すべき（単一或いは複数の）ユーザを選択している。この動作を一般にパケットスケジューリングと呼ぶ。
【０００４】
例えば、ＨＳＤＰＡでは、ユーザデータ（パケット）は共通チャネルであるＨｉｇｈ−ｓｐｅｅｄ  Ｐｈｙｓｉｃａｌ  Ｄｏｗｎｌｉｎｋ  Ｓｈａｒｅｄ  Ｃｈａｎｎｅｌ（ＨＳ−ＰＤＳＣＨ）上で時分割多重送信される。ＨＳ−ＰＤＳＣＨは、２ｍｓのフレームに分割されており、基地局装置はフレーム毎にデータを送信するユーザを選択し、送信している。
【０００５】
具体的には、例えばＣＱＩが良好なユーザを選択したり（Ｍａｘ  Ｃ／Ｉアルゴリズム）、ＣＱＩの平均値（平均ＣＱＩ）よりＣＱＩの瞬時値（瞬時ＣＱＩ）が相対的により大きいユーザを選択したり（Ｐｒｏｐｏｒｔｉｏｎａｌ  Ｆａｉｒｎｅｓｓ（ＰＦ）アルゴリズム）することができる。ＨＳ−ＰＤＳＣＨは、様々なユーザのデータが時分割多重されたチャネルであり、数Ｍｂ／ｓの高速な伝送速度を誇る。従って、全移動局装置がＨＳ−ＰＤＳＣＨを常時受信するのは無駄が多い。そこで、ＨＳＤＰＡでは、基地局装置は、Ｈｉｇｈ−ｓｐｅｅｄ  Ｓｈａｒｅｄ  Ｃｏｎｔｒｏｌ  Ｃｈａｎｎｅｌ（ＨＳ−ＳＣＣＨ）を用いて、ＨＳ−ＰＤＳＣＨ上のデータの有無を移動局装置にシグナリングしている。移動局装置はＨＳ−ＳＣＣＨを常時受信し、自分宛のデータがある旨のシグナリングを受信した場合に、ＨＳ−ＰＤＳＣＨを受信している。
【０００６】
例えば、図１に示すように、左端のフレームにおいて、基地局装置はユーザ１宛のデータがあることをＨＳ−ＳＣＣＨ１でシグナリングを行い、ユーザ１はＨＳ−ＳＣＣＨ１を受信し、次のタイミングでＨＳ−ＰＤＳＣＨ１−５を受信する。
【０００７】
また、基地局装置は次のフレームで、ユーザ１と２宛のデータがあることをＨＳ−ＳＣＣＨ１とＨＳ−ＳＣＣＨ２でシグナリングを行い、ユーザ１および２は２番目のフレームで、それぞれＨＳ−ＳＣＣＨ１−３およびＨＳ−ＳＣＣＨ４−６を受信する。
【０００８】
なお、ＨＳ−ＰＤＳＣＨは同一セル（セクタ）内で同時に複数、例えば１０本設定することができ、単一ユーザのデータを複数のＨＳ−ＰＤＳＣＨに跨って同一フレームで送信することも可能である。この場合も単一のＨＳ−ＳＣＣＨで該移動局装置をシグナリングできるような仕様となっている。
【０００９】
また、ＨＳＤＰＡでは、複数のＨＳ−ＰＤＳＣＨを用いて複数のユーザに同時送信することも可能である。この場合、同時にスケジュールされた複数の移動局装置にシグナリングする必要があるため、該当数のＨＳ−ＳＣＣＨが必要となる。このような運用形態をサポートするため、ＨＳＤＰＡでは移動局装置において常時４本のＨＳ−ＳＣＣＨを受信できるような仕様となっている。
【００１０】
以下、ＨＳ−ＰＤＳＣＨ相当の共通チャネルをＳＣＨ、ＨＳ−ＳＣＣＨ相当のチャネルをＣＣＨと呼ぶ。
【００１１】
ここで、移動局装置においてＣＣＨを常時受信するのは、ＳＣＨを常時受信するよりはかなり負担が軽減されるものの、それなりに受信負荷がかかり、バッテリを消耗する。特にＷｅｂ  ｂｒｏｗｓｉｎｇなど、データが間欠的に到来するサービスでは、Ｗｅｂ  ｐａｇｅ閲覧中でデータがないにも関わらず、長い時間ＨＳ−ＳＣＣＨを連続でモニタし続けると、バッテリが早く消耗してしまう。
【００１２】
データが到来するまで、例えば次のＷｅｂ  ｐａｇｅを開くまで接続を一旦解放し、待ち受けモードに移行してバッテリを節約することもできるが、これではデータが到来した際に再接続処理を行う必要があり、サービス応答が低下してしまう。
【００１３】
このような問題を回避するために、ＣＣＨを間欠受信（Ｄｉｓｃｏｎｔｉｎｕｏｕｓ  Ｒｅｃｅｐｔｉｏｎ（ＤＲＸ））することができる。ＤＲＸ中の移動局装置は、ある周期（ＤＲＸ周期）でＣＣＨを受信し（以下、ＤＲＸ機会と呼ぶ）、残りの時間はＣＣＨを受信しない。ＤＲＸすることで、ＣＣＨを常時受信することによるバッテリ消耗を回避することができる。
【００１４】
ここで、例えば一定時間自分宛のデータが存在しなかった場合、移動局装置は自動的にＣＣＨをＤＲＸするように自律的に制御することができる。また、例えば、移動局装置は、基地局装置またはネットワークと交渉して、ＣＣＨをＤＲＸするように制御する。
【００１５】
移動局装置でＤＲＸを自律制御した場合、基地局装置は移動局装置のＤＲＸ状態を同様なルールを適用して判断することができる。例えば、８０２．１６では、ＤＲＸ機会にスケジュールデータが無かった場合、ＤＲＸ周期を倍に拡大する動作を繰り返し、ＤＲＸ周期を伸ばすことにより、更なるバッテリセービングを図っている。
【００１６】
一度ＤＲＸ機会にＣＣＨでデータ有とシグナリングされた移動局装置は、直ちにＤＲＸを止めてＣＣＨ常時受信の状態に復帰することができる。また、この場合、移動局装置は、ＤＲＸ周期を短くするよう、制御することができる。
【００１７】
また、セルラシステムでは、移動局装置は、ユーザの移動に伴い接続基地局装置を切り替えるハンドオーバ処理を行っている。例えば、ＷＣＤＭＡシステムでは、移動局装置は周辺基地局装置の信号を測定し、受信レベルが入れ替わるなど特定の条件を満たした場合にハンドオーバ処理を行っている。ここで、単一の受信機しか持たないＷＣＤＭＡ移動局装置では、通信中に異なる周波数の信号を測定することができない。
【００１８】
そこで、ｃｏｍｐｒｅｓｓｅｄ  ｍｏｄｅ（送信レートを一時的に２倍にして、送信を時間的に圧縮した分、送信時間にギャップを作る、すなわちＤｉｓｃｏｎｔｉｎｕｏｕｓ  Ｔｒａｎｓｍｉｓｓｉｏｎ（ＤＴＸ））を起動して、受信時間にギャップを作り（すなわちＤＲＸ）、この時間に異周波を測定している。
【００１９】
ＷＣＤＭＡをパケット交換方式に拡張したＨＳＤＰＡにおいても同様で、ＤＲＸを行って異周波を測定しており、基地局装置はこの間該ユーザ宛にパケットを送信することができない（或いは送信しても移動局装置が受信できず無駄となってしまう）。これは異なる無線システムの電波を測定する場合にも同様に当てはまる。すなわち、異周波や異システムを測定しようとした場合、ＤＲＸを行う必要が生じ、この間基地局装置はデータを送信することができない。
【発明の開示】
【発明が解決しようとする課題】
【００２０】
しかしながら、上述した背景技術には以下の問題がある。
【００２１】
ＤＲＸ中の移動局装置は、ＤＲＸ機会にしかデータを受信することができない。ＤＲＸ機会に基地局装置が該ユーザ宛にパケットをスケジュールしなければ、該ユーザは、次のＤＲＸ機会までデータを待つ必要が生じる。
【００２２】
例えば、Ｍａｘ  Ｃ／ＩやＰＦといったスケジューラを用いた場合、ＤＲＸ機会に該ユーザのＣＱＩがよくなければ到来したパケットの送信が見送られてしまい、いつまでも該パケットを送信できなくなってしまう。
【００２３】
ＤＲＸ機会で送信されないパケットは、大きな遅延を強いられてしまう。これは、サービス応答性を著しく劣化させる。また、もしＤＲＸ中に到来したパケットがＱｏＳ上低遅延で転送しなければならないようなデータであった場合、ＤＲＸ機会を一度逃すと致命的な通信品質劣化となるおそれがある。
【００２４】
したがって、ＤＲＸによって生じるこのような遅延は、サービス応答性を低下させるだけでなく、通信品質劣化も招く可能性がある。特に、移動局装置が異周波や異システムを測定するためにＤＲＸを行っている場合、該移動局装置は本来通信データがあるにも関わらず受信できる機会が限られる。その結果、通信品質、例えばスループットが大幅に低下する可能性がある。
【００２５】
そこで、本発明は、上述した問題を解決するためになされたものであり、間欠受信中のユーザにおけるサービス応答性を向上でき、間欠受信に伴う通信品質劣化を低減できる基地局装置およびパケットスケジューリング方法を提供することにある。
【課題を解決するための手段】
【００２６】
本基地局装置は、
移動局装置宛のデータの有無を示す情報を含む制御チャネルを送信する制御チャネル送信手段と、
パケットスケジューリングにおける移動局装置の優先度を計算する優先度計算手段と、
前記優先度計算手段において計算された優先度を、前記制御チャネルを間欠受信する移動局装置の間欠受信状態に応じて補正する優先度補正手段と、
前記優先度補正手段において補正された優先度に基づいて、データを送信すべき移動局装置を決定するスケジューラと
を備え、
前記制御チャネル送信手段が、前記スケジューラによりデータ送信を割り当てられた移動局装置に対して、データ有りを示す情報を含む制御チャネルを送信することにより、当該移動局装置を制御チャネルの常時受信状態に復帰させ、
前記優先度補正手段は、異周波や異システムを測定するために間欠受信を行っている移動局装置の優先度を、他の移動局装置の優先度より高くする補正を行う。
【００２７】
このように構成することにより、基地局装置は、間欠受信状態に応じて補正された優先度に基づいて、パケットスケジューリングを行うことができる。
【００２８】
本パケットスケジューリング方法は、
移動局装置からの送信信号に基づいて、該移動局装置の無線状態を示すＣＱＩ情報を取得するＣＱＩ情報取得ステップと、
移動局装置宛のデータの有無を示す情報を含む制御チャネルを送信する制御チャネル送信ステップと、
前記ＣＱＩ情報に基づいて、パケットスケジューリングにおける移動局装置の優先度を計算する優先度計算ステップと、
前記優先度計算ステップにおいて計算された優先度を、前記制御チャネルを間欠受信する移動局装置の間欠受信状態に応じて補正する優先度補正ステップと、
前記優先度補正ステップにおいて補正された優先度に基づいて、データを送信すべき移動局装置を決定するスケジューリングステップと
を有し、
前記スケジューリングステップによりデータ送信を割り当てられた移動局装置に対して、前記制御チャネル送信ステップによりデータ有りを示す情報を含む制御チャネルが送信されることにより、当該移動局装置を制御チャネルの常時受信状態に復帰させ、
前記優先度補正ステップは、異周波や異システムを測定するために間欠受信を行っている移動局装置の優先度を高める補正を行う。
【００２９】
このようにすることにより、パケットスケジューリングにおける送信割当の優先度を間欠受信状態に応じて補正し、該補正された優先度に基づいて、パケットスケジューリングを行うことができる。
【発明の効果】
【００３０】
本発明の実施例によれば、間欠受信中のユーザにおけるサービス応答性を向上でき、間欠受信に伴う通信品質劣化を低減できる基地局装置およびパケットスケジューリング方法を実現できる。
【発明を実施するための最良の形態】
【００３１】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００３２】
本発明の実施例にかかる無線通信システムは、移動局装置と基地局装置とを備える。
【００３３】
上述したように本実施例においては、ＨＳ−ＰＤＳＣＨ相当の共通チャネルをＳＣＨ、ＨＳ−ＳＣＣＨ相当のチャネルをＣＣＨと呼ぶ。
【００３４】
移動局装置は、ＣＣＨを間欠受信（ＤＲＸ）する。また、移動局装置は、ＤＲＸ中のある周期（ＤＲＸ周期）でＣＣＨを受信し（以下、ＤＲＸ機会と呼ぶ）、残りの時間はＣＣＨを受信しない。このようにすることにより、移動局装置は、バッテリセービングを行うことができる。
【００３５】
また、移動局装置は、所定の周期で徐々にＤＲＸとなる周期を長くするようにしてもよし、サービスに応じてＤＲＸとなる周期を変えるようにしてもよい。
【００３６】
次に、本実施例にかかる基地局装置１００について、図２を参照して説明する。
【００３７】
本実施例にかかる基地局装置１００は、送信データが入力される送信バッファ１０２と、送信バッファ１０２から出力された送信データが入力され、送信バッファ１０２にデータ要求を行うＳＣＨ信号作成部１１２と、ＳＣＨ信号作成部１１２から出力されたＳＣＨ信号が入力される多重合成部１１６と、多重合成部１１６からの出力信号が入力される送信部１２０と、送信部１２０から出力された送信信号が入力される送受共用器１２４と、送受共用器１２４から出力された送信信号が送信されるアンテナ１２６と、送受共用器１２４から出力された受信信号が入力される受信部１２２と、受信部１２２からの出力信号が入力される多重分離部１１０と、送信バッファ１０２から出力されるＱｏＳ、遅延情報などが入力される優先度計算部１０４と、優先度計算部１０４からの出力信号が入力される優先度補正部１０６と、優先度補正部１０６からの出力信号が入力されるスケジューラ１１４と、スケジューラ１１４からの出力信号が入力されるＣＣＨ信号作成部１１８およびＤＲＸ計算部１０８とを備える。
【００３８】
多重分離部１１０は、受信データを出力し、優先度計算部１０４にＣＱＩ情報を入力する。また、スケジューラ１１４はスケジュール情報をＳＣＨ信号作成部１１２に出力し、ＣＣＨ信号作成部１１８はＣＣＨを多重合成部１１６に入力する。また、ＤＲＸ計算部１０８は、ＤＲＸ周期情報を優先度補正部１０６に入力する。
【００３９】
スケジューラ１１４は、優先度補正部１０６から受け取った各ユーザの優先度情報に基づいて、次のＳＣＨフレームでデータを送信すべき１または複数のユーザを決定する。また、スケジューラ１１４は、ＳＣＨ信号作成部１１２、ＣＣＨ信号作成部１１８およびＤＲＸ計算部１０８に、スケジュール情報、すなわち選択したユーザを示す情報を通知する。
【００４０】
ＳＣＨ信号作成部１１２は、スケジューラ１１４から受け取ったスケジュール情報に基づいて、次のＳＣＨフレームでデータを送信すべき１または複数のユーザに対応するデータを送信バッファ１０２から引き出してＳＣＨ信号を作成する。すなわち、ＳＣＨ信号作成部１１２は、スケジュール情報に基づいて、送信バッファ１０２にデータ要求を示す情報を入力し、送信バッファ１０２から入力された送信データを使用してＳＣＨ信号を作成する。例えば、ＳＣＨ信号作成部１１２は、符号化処理、ＣＲＣ付加処理などを行う。ＳＣＨ信号作成部１１２は、作成したＳＣＨ信号を多重合成部１１６に出力する。
【００４１】
ＣＣＨ信号作成部１１８は、スケジューラ１１４から受け取ったスケジュール情報に基づいて、ＣＣＨ信号を作成し、多重合成部１１６へ入力する。ＣＣＨ信号には、主にＳＣＨ上のデータの有無を示す情報が含まれる。また、ＣＣＨ信号に、例えばＳＣＨ信号の符号化方法を示す情報などを含めてもよい。
【００４２】
多重合成部１１６は、ＳＣＨ信号作成部１１２から入力されたＳＣＨ信号と、ＣＣＨ信号作成部１１８から入力されたＣＣＨ信号とを多重合成し、送信部１２０へ入力する。
【００４３】
送信部１２０は、多重合成部１１６から入力されたＳＣＨ信号とＣＣＨ信号とが多重合成された信号をＲＦ信号に変換し、該信号を増幅してアンテナを励起する。
【００４４】
移動局装置は、基地局装置１００から送信された共通パイロット信号に基づき、無線チャネルの状況（ＣＱＩ）を検出し、該ＣＱＩを上り制御チャネルで報告する。
【００４５】
受信部１２２は、移動局装置からのＲＦ信号を受信し、ベースバンド信号に変換し、該ベースバンド信号を多重分離部１１０に入力する。
【００４６】
多重分離部１１０は、受信信号から各ユーザのＣＱＩ情報を抽出し、優先度計算部１０４に入力する。
【００４７】
送信バッファ１０２は、下り回線のユーザデータをバッファリングする。例えば、送信バッファ１０２は、１ユーザに対して複数のデータフローが存在する場合、複数のフローを管理し、各フローのＱｏＳ情報を管理する。また、送信バッファ１０２は、バッファに滞留したデータ量、遅延時間などをモニタするようにしてもよい。また、送信バッファ１０２は、ＱｏＳ情報、遅延情報、データ滞留量を示す情報などを優先度計算部１０４に入力する。また、送信バッファ１０２は、ＳＣＨ信号作成部１１２からのデータ要求に応じて、要求された送信データをＳＣＨ作成部１１２に入力する。
【００４８】
優先度計算部１０４は、多重分離部１１０により入力されたＣＱＩ情報、送信バッファ１０２により入力されたＱｏＳ情報、バッファ滞留量およびバッファ滞留時間すなわち遅延時間を示す情報などに基づいて、パケットスケジューリングにおけるユーザの優先度を計算し、該優先度を示す情報を優先度補正部１０６に入力する。
【００４９】
ＤＲＸ計算部１０８は、スケジューラ１１４からスケジュール情報を受け取って、ユーザ毎のＤＲＸ状態、例えばＤＲＸ周期を計算し、該ＤＲＸ周期を示す情報を優先度補正部１０６に入力する。
【００５０】
優先度補正部１０６は、優先度計算部１０４により入力された優先度を、ＤＲＸ状態に応じて補正する。例えば、優先度補正部１０６は、ＤＲＸを行うユーザの優先度を高くするように補正する。
【００５１】
ＤＲＸを行う移動局装置と、ＤＲＸを行わない移動局装置とが存在する場合、同じ優先度でスケジューリングが行われた場合、無線状態の良好な移動局装置に割り当てられる。しかし、ＤＲＸを行う移動局装置が受信できる時間は限られているため、ＤＲＸを行わない移動局装置に割当が行われた場合、ＤＲＸを行う移動局装置は、データを受信するために、ＤＲＸ周期待つ必要が生じる。その結果、ＤＲＸを行う移動局装置に対するデータの遅延が生じる。ＤＲＸを行う移動局装置に割当られデータが送信されると、その移動局装置は、ＤＲＸモードから常時受信モードに変遷させることができる。割当が行われないと、遅延が大きくなり、サービス応答性が悪くなる。
【００５２】
このようにＤＲＸを行うユーザの優先度を高くするように補正することにより、ＤＲＸを行うユーザが受信できるタイミングで割当の優先度を高めることができ、ＤＲＸを行うユーザに対するデータの遅延を低減することができる。
【００５３】
また、優先度補正部１０６は、優先度を、ＤＲＸ計算部１０８により入力されたＤＲＸ周期情報に基づいて補正するようにしてもよい。例えば、優先度補正部１０６は、ＤＲＸ周期情報に基づいて、ＤＲＸ周期が長いユーザほど、優先度を上げる補正を行う。例えば、優先度補正部１０６は、ＤＲＸ周期に応じた優先度の補正量を予め決めておき、入力されたＤＲＸ周期情報に対応する優先度の補正量を、入力された優先度に加え、スケジューラ１１４に入力する。この場合、例えば、ＤＲＸ周期の長いユーザに対する補正量を大きくする。
【００５４】
ＤＲＸ周期の短いユーザは次に割り当てられる確率が高い。このようにすることにより、ＤＲＸ周期の長いユーザに対して送信されるデータの遅延を短縮することができる。このため、システム全体の遅延を改善することができる。
【００５５】
また、優先度補正部１０６には、移動局装置が異周波や異システムを測定するためにＤＲＸを行っている場合、異周波や異システムを測定中であることを示す情報が、例えば上り制御チャネルにより入力される。この場合、優先度補正部１０６は、該移動局装置に対する優先度を絶対的に高めるようにしてもよい。
【００５６】
すなわち、優先度補正部１０６は、異周波や異システムを測定中であることを示す情報が入力された場合、該移動局装置に対する優先度を、他の移動局装置に対応する優先度よりも大きくする。その結果、スケジューラ１１４において、異周波や異システムを測定中である移動局装置に対して、次のフレームが割り当てられる。
【００５７】
このようにすることにより、ハンドオーバする必要があるためにＤＲＸを行い、異周波を測定している移動局装置に対して、優先的にデータを送信することができる。
【００５８】
なお、図２を参照して説明した構成において、送信バッファ１０２、ＤＲＸ計算部１０８、優先度計算部１０４および優先度補正部１０６は、該基地局装置に接続しているユーザ毎に存在する。また、図２を参照して説明した各部は、個別のハードウェア部として構成する必要はなく、ソフトウェアで実現することもできる。
【００５９】
次に、本実施例にかかる基地局装置１００の動作について、図２を参照して説明する。
【００６０】
移動局装置は、基地局装置１００から送信された共通パイロット信号に基づき、無線チャネルの状況（ＣＱＩ）を検出し、該ＣＱＩを上り制御チャネルで報告する。
【００６１】
移動局装置からの送信データは、送受共用器１２４を介して、受信部１２２において受信される。受信部１２２は受信データを多重分離部１１０に入力する。
【００６２】
多重分離部１１０は、入力された受信データからＣＱＩ情報を分離し、該ＣＱＩ情報を優先度計算部１０４に入力する。
【００６３】
一方、送信データは、送信バッファ１０２に入力される。送信バッファ１０２は、ＱｏＳ情報、遅延情報、データ滞留量を示す情報などを優先度計算部１０４に入力する。
【００６４】
次に、優先度計算部１０４は、ＱｏＳ情報、遅延情報、データ滞留量を示す情報、ＣＱＩ情報に基づいて、パケットスケジューリングにおけるユーザの優先度を計算し、優先度補正部１０６に入力する。
【００６５】
次に、優先度補正部１０４は、ＤＲＸ周期情報などに基づいて優先度を補正し、補正された優先度を示す情報をスケジューラ１１４に入力する。
【００６６】
スケジューラ１１４は、入力されたユーザの優先度に基づいて、パケットスケジューリングを行い、データを送信すべきユーザを決定し、スケジューリング情報をＳＣＨ信号作成部１１２、ＣＣＨ信号作成部１１８およびＤＲＸ計算部１０８に入力する。
【００６７】
次に、ＳＣＨ信号作成部１１２は、スケジューリング情報に基づいて送信バッファ１０２に該当するユーザのデータの要求を行う。その結果、送信バッファ１０２から要求されたユーザ宛の送信データが入力される。ＳＣＨ信号作成部１１２は、入力された送信データからＳＣＨ信号を作成し、該ＳＣＨ信号を多重合成部１１６に入力する。
【００６８】
一方、ＣＣＨ信号作成部１１８は、スケジュール情報に基づいて、ＣＣＨ信号を作成し、該ＣＣＨ信号を多重合成部１１６に入力する。
【００６９】
多重合成部１１６は、ＳＣＨ信号とＣＣＨ信号とを多重合成し、送信部１２０に入力する。
【００７０】
送信部１２０は、多重合成部１１６から入力されたＳＣＨ信号とＣＣＨ信号とが多重合成された信号をＲＦ信号に変換し、該信号を増幅してアンテナを励起する。その結果、データが送信される。
【００７１】
次に、本発明の他の実施例にかかる基地局装置１００について、図３を参照して説明する。
【００７２】
本実施例にかかる基地局装置１００は、図２を参照して説明した基地局装置の構成と、ユーザ毎に存在する部分１２８の構成、すなわち送信バッファ１０２、ＤＲＸ計算部１０８、優先度計算部１０４および優先度補正部１０６の構成が異なる。
【００７３】
この部分は、送信データが入力される分配器１３０と、分配器１３０から出力されたユーザデータが入力される送信バッファ１０２と、送信バッファ１０２から出力されたユーザデータが入力される送信制御部１３２と、送信バッファ１０２と接続されたバッファ監視部１３４と、バッファ監視部１３４から出力されたＱｏＳ、遅延情報などが入力される優先度計算部１３６と、優先度計算部１３６に、ＤＲＸ情報を入力するＤＲＸ計算部１０８とにより構成される。
【００７４】
分配器１３０は、ネットワークから到来するユーザデータを、そのＱｏＳに応じて異なるフロー（バッファ）に分配する。
【００７５】
送信バッファ１０２は、ユーザデータをバッファリングする。例えば、フロー数をＮ個とした場合、フロー数Ｎ分バッファが存在する。フロー数Ｎは、例えば論理チャネルの数に相当する。
【００７６】
送信制御部１３２は、例えばポート（５）から受けたデータ要求に応じて送信フレームにユーザデータを詰め込み、例えばポート（６）から出力する。
【００７７】
バッファ監視部１３４は、送信バッファ１０２の状態、例えば滞留データ量、遅延時間、ＱｏＳなどを監視し、結果を優先度計算部１３６へ通知する。
【００７８】
ＤＲＸ計算部１０８は、例えばポート（３）からスケジューリング情報を受け取り、ユーザのＤＲＸ状態を計算する。
【００７９】
優先度計算部１３６は、バッファ監視部１３４から受け取った送信バッファ１０２の状態に関する情報、例えばＱｏＳ、遅延時間など、ＤＲＸ計算部１０８から受け取ったユーザのＤＲＸ状態、例えばＤＲＸ周期に関する情報、およびＣＱＩ情報を元に、ユーザのスケジューリング優先度を計算する。優先度計算部１３６は、スケジューリング優先度の計算結果を例えばポート（４）に出力する。
【００８０】
ここで、i番目のユーザの優先度ｐｉを計算する方法としては様々なものが考えられるが、例えば式（１）や式（２）などとすることができる。
【００８１】
ｐｉ（ｔ）＝ａｉ・（ｒｉ（ｔ）／Ｒｉ（ｔ））・（ｄｉ（ｔ）／Ｄｉ）・（ＴＤＲＸ，ｉ（ｔ）／ＴＤＲＸ，ｍａｘ）      （１）
ｐｉ（ｔ）＝ａｉ・（ｒｉ（ｔ）／Ｒｉ（ｔ））・（ｄｉ（ｔ）＋ｂｉ・ＴＤＲＸ，ｉ（ｔ））／Ｄｉ      （２）
ここで、ａｉはユーザのＱｏＳに応じた係数、ｒｉ（ｔ）はＣＱＩに相当する（現在送信を割り当てたとして実現できる）伝送レート、Ｒｉ（ｔ）は現在までのスループット、ｄｉ（ｔ） はバッファ先頭パケットの遅延時間、Ｄｉは許容遅延時間、ＴＤＲＸ，ｉ（ｔ）は現在のＤＲＸ周期、ＴＤＲＸ，ｍａｘは最大ＤＲＸ周期、ｂｉは設計パラメータである。ｂｉは、例えば今までの送信機会にユーザが送信を割り当てられなかった確率などとすることもできる。この結果を元に全ユーザをｐｉ（ｔ）の降順にソートし、上位ユーザからリソースを割り当てる（スケジュールする）ことができる。なお、ｐｉ（ｔ）の計算方法は上の例に限られたものではない。
【００８２】
なお、本発明の実施例にかかる無線通信システムは、必ずしもＳＣＨとＣＣＨの異なるチャネルを用いている必要はない。例えばＣＣＨが存在せず、ＳＣＨを直接ＤＲＸ受信するシステムにおいても同様に適用し、同様な効果を得ることができる。
【００８３】
本実施例にかかる無線通信システムによれば、共通リソースを用いて通信を行う通信システムにおいて、ＤＲＸ中のユーザのデータ送信優先度を高めることができる。特に、ＤＲＸ周期が長いほど優先度を高めるよう制御することができる。また、異周波や異システムを測定するためにＤＲＸを行っているユーザの送信優先度を高めるよう制御することができる。
【００８４】
このようにすることにより、ＤＲＸ中のユーザにおけるサービス応答性を向上でき、ＤＲＸに伴う通信品質劣化を削減できる。
【産業上の利用可能性】
【００８５】
本発明にかかる基地局装置およびパケットスケジューリング方法は、無線通信システムに適用できる。
【図面の簡単な説明】
【００８６】
【図１】ＨＳＤＰＡにおけるＨＳ−ＰＤＳＣＨとＨＳ−ＳＣＣＨとの関係を示す説明図である。
【図２】本発明の一実施例にかかる基地局装置の部分ブロック図である。
【図３】本発明の一実施例にかかる基地局装置の部分ブロック図である。
【符号の説明】
【００８７】
１００  基地局装置
【図１】
0004786340.tif 000002
【図２】
0004786340.tif 000003
【図３】
0004786340.tif 000004